【手続補正書】
【提出日】平成30年2月23日(2018.2.23)
【手続補正１】
【補正対象書類名】明細書
【補正対象項目名】発明の名称
【補正方法】変更
【補正の内容】
【発明の名称】電子機器、表示方法及びプログラム
【手続補正２】
【補正対象書類名】明細書
【補正対象項目名】０００１
【補正方法】変更
【補正の内容】
【０００１】
本発明の実施の形態は、画像を表示する電子機器、表示方法及びプログラムに関する。
【手続補正３】
【補正対象書類名】明細書
【補正対象項目名】０００４
【補正方法】変更
【補正の内容】
【０００４】
しかし、誰が接近しても表示される写真は一定である。表示されている写真が観察者の知っている頃の写真であると、観察者は、懐かしみもわく。しかし、表示されている写真が観察者の知らない頃の写真であると、観察者は、写真を見てもなじみがない場合がある。
【手続補正４】
【補正対象書類名】明細書
【補正対象項目名】０００５
【補正方法】変更
【補正の内容】
【０００５】
発明の目的は、観察者に適した画像を表示させることが可能な電子機器、表示方法及びプログラムを提供することにある。
【手続補正５】
【補正対象書類名】明細書
【補正対象項目名】０００６
【補正方法】変更
【補正の内容】
【０００６】
実施形態によれば、ディスプレイと、故人の生前の写真が複数格納される記憶装置と、前記故人との関わりのあった人物の情報、並びに前記故人との交際期間の前記故人の年齢を含む写真設定情報が登録される人物関係データベースと、前記人物の顔の特徴量が登録される顔画像データベースと、前記ディスプレイの前の人物を撮影するカメラと、表示アプリケーションプログラムを含む各種プログラムを実行するプロセッサと、を具備する。前記プロセッサは、前記カメラによって撮影された画像の前記人物を前記顔画像データベースに基づいて識別し、前記人物関係データベースから前記識別された人物に対応する前記写真設定情報を取得し、前記写真設定情報に基づいて前記記憶装置に格納される前記交際期間に撮影された前記故人の写真を選択し、選択された前記故人の写真を前記ディスプレイの画面に表示する。
【手続補正６】
【補正対象書類名】明細書
【補正対象項目名】００１０
【補正方法】変更
【補正の内容】
【００１０】
本タブレットコンピュータ２は、例えば仏壇１や墓石のような、亡くなった人を供養するための祭礼用具（以下、仏壇１と称する）に組み込まれている。タブレットコンピュータ２は仏壇１に固定されるものであってもよいし、仏壇１に対して取り外し可能に設置されるものであってもよい。つまり、タブレットコンピュータ２は、仏壇１に組み込まれた状態で提供（販売）されてもよいし、従来の仏壇１（例えば、家庭に既にある仏壇）にオプションとして設置されるようにしてもよい。また、仏壇１の外部に近接して設置されるようにしてもよいし、仏壇１と特に関係なく単なるフォトフレームとして独立して設置されるようにしてもよい。
【手続補正７】
【補正対象書類名】明細書
【補正対象項目名】００１２
【補正方法】変更
【補正の内容】
【００１２】
タブレットコンピュータ２は、カメラ１６、タッチスクリーンディスプレイ１７、スピーカー１８Ａ，１８Ｂ、及びマイク１９Ａ，１９Ｂを備える。タブレットコンピュータ２は、カメラ１６によって取得されたタブレットコンピュータ２の前方にいる人の画像、またはマイク１９Ａ，１９Ｂによって取得された音声に基づいて、タブレットコンピュータ２の前方に存在する人物（観察者）を識別する。識別結果に基づいて、故人と人物とが関わっている期間内の写真から作成された顔画像をタッチスクリーンディスプレイ１７の画面に表示する。なお、タッチスクリーンディスプレイ１７の画面には、亡くなった人の画像だけでなく、位牌、花立、火立、香炉、供物、花仏水器、りん、等の仏具の画像が表示されてもよい。
【手続補正８】
【補正対象書類名】明細書
【補正対象項目名】００３４
【補正方法】変更
【補正の内容】
【００３４】
図７に示すように、写真情報データベース３１２には、写真ＩＤに対して、撮影日時、顔位置、および顔領域が関連付けられている。
【手続補正９】
【補正対象書類名】明細書
【補正対象項目名】００４７
【補正方法】変更
【補正の内容】
【００４７】
音声認識データベース３１５の構造が図１０に示すものである場合、人物識別部３０３は、例えばマイク１９Ａ，１９Ｂによって取得される音声データから発声した人物を識別する音声特徴量を抽出する。人物識別部３０３は、演算された特徴量と、音声認識データベース３１５に登録されている特徴量とを比較することによって、演算された音声特徴量に近い音声特徴量に関連付けられている人物ＩＤを特定する。
【手続補正１０】
【補正対象書類名】明細書
【補正対象項目名】００４８
【補正方法】変更
【補正の内容】
【００４８】
また、音声認識データベース３１５の構造が図１１に示すものである場合、人物識別部３０３は、例えばマイク１９Ａ，１９Ｂによって取得される音声データをテキスト化しても良い。人物識別部３０３は、テキストと音声認識データベース３１５とに基づいて、テキストに対応する人物ＩＤを特定しても良い。また、音声認識データベース３１５に登録されているテキストに基づいて、マイク１９Ａ，１９Ｂによって取得される音声データの認識を行うことによって、対応する人物ＩＤを特定しても良い。
【手続補正１１】
【補正対象書類名】明細書
【補正対象項目名】００６６
【補正方法】変更
【補正の内容】
【００６６】
人物識別部３０３は、人感センサ１１６の検出結果によって、タッチスクリーンディスプレイ１７（タブレットコンピュータ２）の前に人が存在するかを判定する（ステップＢ１１）。人が存在すると判定した場合（ステップＢ１１のＹｅｓ）、人物識別部３０３は、カメラモジュール１６によって取得された画像による人物の顔識別を試みる。人物識別部３０３は、顔識別に成功したかを判定する（ステップＢ１２）。顔識別に成功しなかったと判定した場合（ステップＢ１２のＮｏ）、人物識別部３０３は、マイク１９Ａ，１９Ｂによって集音された音声による人物識別を試みる。人物識別部３０３は、音声識別に成功したかを判定する（ステップＢ１３）。
【手続補正１２】
【補正対象書類名】明細書
【補正対象項目名】００６７
【補正方法】変更
【補正の内容】
【００６７】
顔識別に成功したと判定した場合（ステップＢ１２のＹｅｓ）、または音声識別に成功したと判定した場合（ステップＢ１３のＹｅｓ）、識別された人物に対応する人物ＩＤを写真表示制御部３０４に通知する。写真表示制御部３０４は、人物関係データベース３１３から人物ＩＤに対応する写真設定を取得する（ステップＢ１４）。
【手続補正１３】
【補正対象書類名】明細書
【補正対象項目名】００６８
【補正方法】変更
【補正の内容】
【００６８】
音声識別に成功しなかったと判定した場合（ステップＢ１３のＮｏ）、人物識別部３０３は、人物の識別しなかった場合に対応する人物ＩＤを写真表示制御部３０４に通知する。写真表示制御部３０４は、人物関係データベース３１３から人物ＩＤに対応する写真設定を取得する（ステップＢ１８）。
【手続補正１４】
【補正対象書類名】特許請求の範囲
【補正対象項目名】全文
【補正方法】変更
【補正の内容】
【特許請求の範囲】
【請求項１】
ディスプレイと、
故人の生前の複数の写真が格納される記憶装置と、
前記故人との関わりのあった人物の情報、並びに前記故人との交際期間の前記故人の年齢を含む写真設定情報が登録される人物関係データベースと、
前記人物の顔の特徴量が登録される顔画像データベースと、
前記ディスプレイの前の人物を撮影するカメラと、
表示アプリケーションプログラムを含む各種プログラムを実行するプロセッサと、
を具備し、
前記プロセッサは、
前記カメラによって撮影された画像の前記人物を前記顔画像データベースに基づいて識別し、
前記人物関係データベースから前記識別された人物に対応する前記写真設定情報を取得し、
前記写真設定情報に基づいて前記記憶装置に格納されている前記複数の写真の中から前記交際期間に撮影された前記故人の写真を選択し、
選択された前記故人の写真を前記ディスプレイの画面に表示する
電子機器。
【請求項２】
前記人物の音声を集音するマイクと、
前記人物の音声特徴量が登録される音声識別データベースと、
を更に具備し、
前記プロセッサは、前記画像による前記人物の識別が成功しなかった場合、前記マイクによって集音された音声を認識し、その認識結果と前記音声識別データベースとに基づいて、前記人物を識別する請求項１に記載の電子機器。
【請求項３】
前記プロセッサは、前記故人の写真の顔のしわ、口元、表情、頭髪、ヒゲの１つ以上をレタッチして前記ディスプレイの画面に表示する請求項１に記載の電子機器。
【請求項４】
前記複数の写真について、各写真の顔画像の領域を示す領域データが登録される写真情報データベースを更に具備し、
前記プロセッサは、前記写真情報データベースに基づいて、前記顔画像の領域が大きい写真を前記故人の写真として選択する請求項１に記載の電子機器。
【請求項５】
前記プロセッサは、前記表示された写真の履歴を記録し、まだ表示されていない前記故人の写真を選択して表示する請求項１に記載の電子機器。
【請求項６】
ディスプレイと、
故人の生前の写真が複数格納される記憶装置と、
前記故人との関わりのあった人物の情報、並びに前記故人との交際期間の前記故人の年齢を含む写真設定情報が登録される人物関係データベースと、
前記人物の顔の特徴量が登録される顔画像データベースと、
前記ディスプレイの前の人物を撮影するカメラと、
表示アプリケーションプログラムを含む各種プログラムを実行するプロセッサと、
を具備する電子機器の表示方法であって、
前記カメラによって撮影された画像の前記人物を前記顔画像データベースに基づいて識別し、
前記人物関係データベースから前記識別された人物に対応する前記写真設定情報を取得し、
前記写真設定情報に基づいて前記記憶装置に格納される前記交際期間に撮影された前記故人の写真を選択し、
選択された前記故人の写真を前記ディスプレイの画面に表示する
表示方法。
【請求項７】
ディスプレイと、
故人の生前の写真が複数格納される記憶装置と、
前記故人との関わりのあった人物の情報、並びに前記故人との交際期間の前記故人の年齢を含む写真設定情報が登録される人物関係データベースと、
前記人物の顔の特徴量が登録される顔画像データベースと、
前記ディスプレイの前の人物を撮影するカメラと、
を具備する電子機器のコンピュータによって実行されるプログラムであって、
前記カメラによって撮影された画像の前記人物を前記顔画像データベースに基づいて識別する手順と、
前記人物関係データベースから前記識別された人物に対応する前記写真設定情報を取得する手順と、
前記写真設定情報に基づいて前記記憶装置に格納される前記交際期間に撮影された前記故人の写真を選択する手順と、
選択された前記故人の写真を前記ディスプレイの画面に表示する手順と、
を前記コンピュータに実行させるためのプログラム。